(57)【特許請求の範囲】
【請求項１】
棚板を多段状に取り付けて構成される陳列棚の前記棚板に設けられる商品陳列棚用照明装置であって、
前記棚板の下面前部に取り付けられる光源ユニットと、前記棚板の前端部及び上面の一部分に亘って取り付けられる透光装飾部材と、を備え、
前記光源ユニットは、
前記棚板の下面前部に取り付けられ該棚板の前面幅方向に延在するとともに長手方向に直交する断面形状が上部水平板と下部水平板とを垂直板で連結した略Ｚ字状に形成されるレール部材と、
該レール部材の前記上部水平板の下面に回路基板を介して固定され下段の棚板を照明する照明用発光素子と、
前記レール部材の前記下部水平板の上面に回路基板を介して固定され上方へ光を出射する装飾用発光素子と、
を具備し、
前記透光装飾部材は、
背面から入射させた前記装飾用発光素子からの光を出射させる装飾光出射領域を少なくとも一部分に有し、
前記レール部材には、長手方向に延在する複数の冷却フィンが所定間隔の間隙を有して突設され、
前部の該間隙と後部の該間隙とに、前記棚板に設けられた前後一対の係止爪が進入係止して、前記レール部材が前記棚板に取り付けられることを特徴とする商品陳列棚用照明装置。
【請求項２】
前記照明用発光素子が、白色光を出射し、
前記装飾用発光素子が、該照明用発光素子と異なる色の光を出射することを特徴とする請求項１記載の商品陳列棚用照明装置。
【請求項３】
前記照明用発光素子が、前記レール部材の長手方向に沿って所定の間隔を有して複数設けられることを特徴とする請求項１又は２に記載の商品陳列棚用照明装置。
【請求項４】
前記装飾光出射領域が、光拡散部であることを特徴とする請求項１，２，３のいずれか１つに記載の商品陳列棚用照明装置。
【請求項５】
請求項１，２，３，４のいずれか１つに記載の商品陳列棚用照明装置を備えた棚板が、棚板の前面幅方向に複数連続する連結棚を構成し、
該連結棚が多段状に取り付けられることを特徴とする陳列棚。
【請求項６】
少なくとも前記連結棚のそれぞれの前記商品陳列棚用照明装置が、前記レール部材の長手方向両端から導出され相互に結合可能となるとともに前記照明用発光素子及び前記装飾用発光素子へ給電可能に導通する入力用連結コネクタ及び出力用連結コネクタを備え、前記入力用連結コネクタと前記出力用連結コネクタとを結合して同一電源回路で給電されたことを特徴とする請求項５記載の陳列棚。
【発明の詳細な説明】
【技術分野】
【０００１】
本発明は、商品陳列棚用照明装置及び陳列棚に関し、特に、装飾用照明や電源を別途必要とせずに、省スペース化を実現しつつ、商品陳列効果、商品演出性を向上させる改良技術に関する。
【背景技術】
【０００２】
棚板を多段状に取り付けて構成される陳列棚は、下段棚板上の陳列商品を照明して商品陳列効果を高めるための照明装置が、棚板の下面前部に取り付けられることがある。従来よりこの照明装置の光源には蛍光灯が一般的に使用されていた。蛍光灯を用いた棚板照明装置では、棚板の下面前部に前面幅方向に沿って蛍光灯が取り付けられ、両端に取り付けられたソケットを介し給電され、下段棚板上の陳列商品を照明した。
【０００３】
ところが、蛍光灯や白熱電球、スポットライト等の照明光源は、照明光の中に被照射物の劣化を誘発する紫外線成分を含み、また、白熱電球等の光源の発熱量が大きい。このような事情から、近年、発熱や紫外線成分，消費電力の少ない発光素子（ＬＥＤ）が注目され、また、高輝度な白色ＬＥＤの提供されることも相俟って、照明装置にＬＥＤを利用するものが増えつつある。この種の照明装置の一例が例えば特許文献１，２に開示されている。
【０００４】
一方、陳列棚には、商品とは別に、販売促進用のディスプレイやサンプル（試供品）などの設けられることがある。販売促進用ディスプレイが照明装置を使用する場合には、上記した商品の照明装置とは別途に、装飾用の蛍光灯や白熱電球、スポットライト等の光源が必要となり、給電も別途に行われていた。
【特許文献１】特開２００５−３２６４９号公報
【特許文献２】特開２００６−２３６７９６号公報
【発明の開示】
【発明が解決しようとする課題】
【０００５】
しかしながら、例えば季節ごとに変わる商品の入れ換え等のために、陳列棚の迅速な組立や、容易なディスプレイ変更の要請がある中、装飾用の照明装置を、商品用の照明装置と別途に取り付けたり、装飾用の給電回路を別途に配線施工したりすることは上記要請に反することとなった。そして、別体の装飾用照明装置を設ければ、装置が大型化し、見栄えが低下して、商品陳列効果、商品演出性を低下させた。また、ＬＥＤ光源の長所である低発熱性、省電力性、安全性、長寿命化や、商品を劣化させる紫外線の低減化も享受しなければならなかった。
【０００６】
本発明は上記状況に鑑みてなされたもので、装飾用照明や電源を別途必要とせず、省スペース化を実現しつつ、商品陳列効果、商品演出性の向上、発熱の抑止、省電力化、安全性の向上、光源の長寿命化、紫外線による商品劣化の防止が可能な商品陳列棚用照明装置及び陳列棚を提供することにある。
【課題を解決するための手段】
【０００７】
次に、上記の課題を解決するための手段を、実施の形態に対応する図面を参照して説明する。
本発明の請求項１記載の商品陳列棚用照明装置は、棚板１１を多段状に取り付けて構成される陳列棚２００の前記棚板１１に設けられる商品陳列棚用照明装置１００であって、
前記棚板１１の下面前部１３に取り付けられる光源ユニット４５と、前記棚板１１の前端部５１及び上面の一部分に亘って取り付けられる透光装飾部材４３と、を備え、
前記光源ユニット４５は、
前記棚板１１の下面前部１３に取り付けられ該棚板１１の前面幅方向に延在するとともに長手方向に直交する断面形状が上部水平板７５と下部水平板７７とを垂直板７８で連結した略Ｚ字状に形成されるレール部材５５と、
該レール部材５５の前記上部水平板７５の下面に回路基板６７を介して固定され下段の棚板１１を照明する照明用発光素子５７と、
前記レール部材５５の前記下部水平板７７の上面に回路基板６９を介して固定され上方へ光を出射する装飾用発光素子５９と、
を具備し、
前記透光装飾部材４３は、
背面から入射させた前記装飾用発光素子５９からの光を出射させる装飾光出射領域８５を少なくとも一部分に有することを特徴とする。
【０００８】
この商品陳列棚用照明装置では、照明用発光素子５７と装飾用発光素子５９とがレール部材５５に固定され、照明光源と装飾光源とが一体に構成されて、装飾性を向上させるための装飾用照明や電源が不要となる。また、光源に発光素子が用いられることで、光源が小型となり、発熱、消費電力も低減され、蛍光管破裂等の危険性もなくなる。また、蛍光管を使用したものに比べ紫外線の出射量が低減される。
【０００９】
請求項１記載の商品陳列棚用照明装置は、前記レール部材５５には、長手方向に延在する複数の冷却フィン７９が所定間隔の間隙８１を有して突設され、
前部の該間隙８１と後部の該間隙８１とに、前記棚板１１に設けられた前後一対の係止爪８３が進入係止して、前記レール部材５５が前記棚板１１に取り付けられることを特徴とする。
【００１０】
この商品陳列棚用照明装置では、棚板１１に設けた係止爪８３の係止・係止解除により、棚板１１とレール部材５５との一体化及び分離が可能となり、棚板１１に対する光源ユニット（レール部材、照明用発光素子、装飾用発光素子、入・出力用連結コネクタ）４５の組み付け、脱着が容易となる。
【００１１】
請求項２記載の商品陳列棚用照明装置は、前記照明用発光素子５７が、白色光を出射し、
前記装飾用発光素子５９が、該照明用発光素子５７と異なる色の光を出射することを特徴とする。
【００１２】
この商品陳列棚用照明装置では、白色光による良好な商品照明効果が得られるとともに、照明色とは異なる任意な色の装飾用光との組合せにより、商品陳列棚としての表現性が高められる。
【００１３】
請求項３記載の商品陳列棚用照明装置は、前記照明用発光素子５７が、前記レール部材５５の長手方向に沿って所定の間隔を有して複数設けられたことを特徴とする。
【００１４】
この商品陳列棚用照明装置では、レール部材５５の長手方向に沿って照明用発光素子５７が所望の密度で配置され、十分な照度が確保可能となり、しかも、光源が発光素子であるので、紫外線による商品の劣化が抑止される。また、各照明用発光素子５７は、回路基板上に直接配設が可能となり、回路基板に形成されるプリント配線によってそれぞれ給電が行え、このことから高さを低く（厚みを小さく）抑えることが可能となる。
【００１５】
請求項４記載の商品陳列棚用照明装置は、前記装飾光出射領域８５が、光拡散部であることを特徴とする。
【００１６】
この商品陳列棚用照明装置では、透光装飾部材４３の背面から入射した装飾用発光素子５９からの光が、透光装飾部材表面側の装飾光出射領域８５から拡散光となって多方向へ均一な照度で照射され、装飾光出射領域８５の視認性が高められる。
【００１７】
請求項５記載の陳列棚は、請求項１，２，３，４のいずれか１つに記載の商品陳列棚用照明装置１００を備えた棚板１１が、棚板１１の前面幅方向に複数連続する連結棚６５を構成し、
該連結棚６５が多段状に取り付けられたことを特徴とする。
【００１８】
この陳列棚２００では、商品陳列棚用照明装置１００を備えた一つの棚板１１が単一部材となり、任意の数で連結構成可能となる。つまり、モジュール化される。これにより、商品陳列棚用照明装置１００の設けられた棚板１１が、所望数、所望位置で連結したり、所望段数に組み付け可能となる。
【００１９】
請求項６記載の陳列棚は、少なくとも前記連結棚６５のそれぞれの前記商品陳列棚用照明装置１００が、前記レール部材５５の長手方向両端から導出され相互に結合可能となるとともに前記照明用発光素子５７及び前記装飾用発光素子５９へ給電可能に導通する入力用連結コネクタ６１及び出力用連結コネクタ６３を備え、前記入力用連結コネクタ６１と前記出力用連結コネクタ６３とを結合して同一電源回路Ｐ１，Ｐ２，Ｐ３で給電されたことを特徴とする。
【００２０】
この陳列棚では、商品陳列棚用照明装置１００を備えた棚板同士を連設する際、一方の棚板１１に設けられた一端側の出力用連結コネクタ６３と、他方の棚板１１に設けられた他端側の入力用連結コネクタ６１とが結合されることで、双方の棚板１１に設けられた光源ユニット４５への給電が簡単に行える。
【発明の効果】
【００２１】
本発明に係る請求項１記載の商品陳列棚用照明装置によれば、光源ユニットと、透光装飾部材とを備え、光源ユニットは、レール部材と、照明用発光素子と、装飾用発光素子とを有し、透光装飾部材は、装飾光出射領域を有するので、照明光源と装飾光源とを一体に構成でき、装飾性を向上させるための装飾用照明や電源を別途必要とせず、省スペース化を実現しつつ、商品陳列効果、商品演出性を向上させることができる。また、光源に発光素子が用いられるので、省スペース化、発熱の抑止、省電力化、安全性の向上、光源の長寿命化を実現しつつ、紫外線による商品の劣化防止を図ることができる。
【００２２】
請求項１記載の商品陳列棚用照明装置によれば、レール部材には、複数の冷却フィンが間隙を有して突設され、前部の間隙と後部の間隙とに、棚板に設けられた前後一対の係止爪が進入係止して、レール部材が棚板に取り付けられるので、棚板に設けた係止爪の係止・係止解除により、組み付け、脱着を容易に行うことができ、商品に応じたセッティング変更の自由度を向上させることができる。
【００２３】
請求項２記載の商品陳列棚用照明装置によれば、照明用発光素子が、白色光を出射し、装飾用発光素子が、照明用発光素子と異なる色の光を出射するので、良好な照明効果を得ながら、他の色による表現性を高め、装飾としての見栄え、注目されやすさ（注目度）を高めて、高い商品演出効果を得ることができる。
【００２４】
請求項３記載の商品陳列棚用照明装置によれば、照明用発光素子が、レール部材の長手方向に沿って所定の間隔を有して複数設けられたので、十分な照度が確保可能となり、紫外線により商品を劣化させることなく、高い照明効果を得ることができる。また、各照明用発光素子は、回路基板上に直接配設が可能となり、回路基板に形成されるプリント配線によってそれぞれ給電が行え、このことから高さを低く（厚みを小さく）抑えることが可能となる。
【００２５】
請求項４記載の商品陳列棚用照明装置によれば、装飾光出射領域が、光拡散部であるので、装飾光出射領域を多方向から均一な照度で視認可能とし、注目度を高めて、高い商品演出効果を得ることができる。
【００２６】
請求項５記載の陳列棚によれば、請求項１〜請求項４のいずれか１項記載の商品陳列棚用照明装置を備えた棚板が、棚板の前面幅方向に複数連続する連結棚を構成し、この連結棚が多段状に取り付けられたので、商品陳列棚用照明装置を備えた一つの棚板を単一部材としてモジュール化でき、商品陳列棚用照明装置の設けられた棚板を、所望数、所望位置で連結したり、所望段数に組み付けて、商品の陳列性（ディスプレイ）、装飾性の自由度を向上させることができる。
【００２７】
請求項６記載の陳列棚によれば、連結棚のそれぞれの商品陳列棚用照明装置が、入力用連結コネクタと出力用連結コネクタとを結合して同一電源回路で給電されるので、新たな電源の供給を考慮せずに、商品陳列棚用照明装置を所望数、所望位置に自在に変更することができる。
【発明を実施するための最良の形態】
【００２８】
以下、本発明に係る商品陳列棚用照明装置及び陳列棚の好適な実施の形態を図面を参照して詳細に説明する。
図１は本発明に係る商品陳列棚用照明装置の設けられた棚板の要部拡大側面図、図２は図１に示した棚板を多段状に組み付けた陳列棚の斜視図、図３は図２に示した陳列棚の分解斜視図である。
本実施の形態による商品陳列棚用照明装置１００は、図１に示す棚板１１の下面前部１３に取り付けられる。棚板１１は、図２に示すように、多段状に取り付けられて陳列棚２００を構成する。図１中、１５は棚板１１の底板、１７は側板、１９は仕切板、２１はプライスカードレール、２３は商品イメージを陳列するアクリル板からなるイメージボードを表す。仕切板１９は、爪２５を、任意の爪穴２７に係止することで位置決め固定される。プライスカードレール２１は、揺動片２９の軸部３１を介して所定の傾斜角度に停止可能なように揺動自在に固定される。
【００２９】
図２，３中、３３は陳列される商品の商品名等のサインを取り付ける広告表示部、３５は補強も兼ねる中間棚板、３７はベース部、Ｐは電源部を表す。棚板１１、中間棚板３５、ベース部３７は、不図示の支柱に形成されたスリット係止穴に、背板１８に突設された係止爪３９（図５参照）を係止することで所望の高さ位置で組み付けられる。
【００３０】
図４は図１に示した一つの棚板の分解斜視図である。
図中、４１はストッカー、４３は透光装飾部材、４５は光源ユニットを表す。ストッカー４１は、棚板１１上に載置され、例えば化粧品のカラーチーク等の複数の商品が直立状態で収容される収容部４７を有する。透光装飾部材４３の中央部には商品名カード等の装着部４９が設けられる。
【００３１】
図５は棚板の側面図である。
上記した仕切板１９、プライスカードレール２１、イメージボード２３が取り付けられた棚板１１は、複数個が幅方向に連結され、かつ所望の段数（図２，３では５段）で組み付けられて、陳列棚２００を構成する。この棚板１１の下面前部１３には商品陳列棚用照明装置１００が取り付けられている。商品陳列棚用照明装置１００は、棚板１１の下面前部１３に取り付けられる上記の光源ユニット４５と、棚板１１の前端部５１（図１参照）及び上面５３の一部分に亘って取り付けられる上記の透光装飾部材４３とを備える。
【００３２】
図６は図５に示した光源ユニットの斜視図、図７は図６に示した入力用連結コネクタと出力用連結コネクタの斜視図である。
光源ユニット４５は、レール部材５５と、照明用発光素子５７（図８参照）と、装飾用発光素子５９と、入力用連結コネクタ６１及び出力用連結コネクタ６３とを有する。入力用連結コネクタ６１及び出力用連結コネクタ６３は、レール部材５５の長手方向両端から導出され、図７に示すように、相互に結合可能となる。入力用連結コネクタ６１及び出力用連結コネクタ６３は、相互に結合されることで、照明用発光素子５７及び装飾用発光素子５９へ給電可能に導通し、連結された複数の棚板１１、すなわち、連結棚６５（図２参照）を同一の電源回路に構成する。
【００３３】
図８は図６に示した光源ユニットの分解斜視図、図９は図６に示した光源ユニットの正面視を（ａ）、平面視を（ｂ）、側面視を（ｃ）に表した説明図である。
照明用発光素子５７は、レール部材５５に沿って延在する基板６７に所定間隔で複数個（図例では５つ）が配設される。装飾用発光素子５９は、基板６９に一つのものが実装される。基板６７、基板６９は、レール部材５５にビス７１等によって密着固定される。基板６７には不図示の印刷配線が形成され、印刷配線は入力用連結コネクタ６１及び出力用連結コネクタ６３を、各照明用発光素子５７に電気的に接続している。また、基板６７と基板６９とは不図示の接続線で接続され電源回路が導通されている。レール部材５５に基板６７を介して取り付けられた照明用発光素子５７は、透明カバー７３によって覆われる。
【００３４】
図１０は発光素子、カバー部材とともに表したレール部材の断面図である。
レール部材５５は、棚板１１の下面前部１３に取り付けられ、棚板１１の前面幅方向に延在する。レール部材５５は、長手方向に直交する断面形状が、図１０に示す上部水平板７５と下部水平板７７とを垂直板７８で連結した略Ｚ字に形成される。照明用発光素子５７は、基板６７を介して上部水平板７５に固定され、下方となる下段の棚板１１を照明する。また、装飾用発光素子５９は、基板６９を介して下部水平板７７に固定され、上方へ光を出射する。上方へ出射された装飾用発光素子５９からの光は、上記した透光装飾部材４３の背面に照射される。
【００３５】
レール部材５５には、長手方向に延在する複数の冷却フィン７９が所定間隔の間隙８１を有して突設されている。冷却フィン７９は、レール部材５５がアルミ押出成形されることにより一体成形される。図１に示すように、レール部材５５の前部の間隙８１と後部の間隙８１とには、棚板１１に設けられた前後一対の係止爪８３，８３が進入係止して、レール部材５５が棚板１１に取り付けられるようになっている。
【００３６】
このように、光源ユニット４５は、棚板１１に設けた係止爪８３，８３の係止・係止解除により、棚板１１との一体化及び分離が可能となり、棚板１１に対する組み付け、脱着が容易となっている。これにより、商品に応じたセッティング変更の自由度を向上させることができる。
【００３７】
照明用発光素子５７は、レール部材５５の長手方向に沿って所定の間隔を有して複数設けられることで、十分な照度が確保可能となり、しかも、光源が発光素子であるので、紫外線による商品の劣化が抑止されている。これにより、紫外線により商品を劣化させることなく、高い照明効果が得られるようになっている。
【００３８】
本実施の形態において、照明用発光素子５７及び装飾用発光素子５９は、白色光を出射する。
なお、装飾用発光素子５９は、照明用発光素子５７と異なる色の光を出射することとしてもよい。これにより、白色光による良好な照明効果が得られるとともに、照明色とは異なる任意な色の装飾用光との組合せにより、表現性が高められる。その結果、良好な照明効果を得ながら、他の色による表現性を高め、装飾としての見栄え、注目されやすさ（注目度）を高めて、高い商品演出効果を得ることができる。
【００３９】
照明用発光素子５７及び装飾用発光素子５９は、例えば、ＧａＮ系青色ＬＥＤが好ましい。この青色ＬＥＤの発光色である青色光と、青色光を吸収して各色を発光する蛍光体の組み合わせで白色発光を得ることができる。ＬＥＤ素子は、図示しないが、底部が、金属部とセラミックとで分割構成されるとともに、各部がすり鉢形状の導光部で連結される。上記のセラミックは金属部と接している一部を除き金属ペーストで形成された通電部を構成する。ＬＥＤ素子（５７，５９）としては、ＧａＮ系青色ＬＥＤを用い、黄色系蛍光体、緑色蛍光体、赤色蛍光体等を用いた蛍光体膜、その表面に設けることにより白色光とすることができる。また、装飾用発光素子５９を白色以外で構成する場合としては、ＧａＡｓＰ系橙色・黄色ＬＥＤ、ＧａＡｌＡｓ系ＬＥＤ、ＩｎＧａＡｌＰ系橙・黄色ＬＥＤを用いたり、上記のＧａＮ系青色ＬＥＤに上記の蛍光体の配合の割合を変えることにより、各種の色を出すこともできる。
【００４０】
透光装飾部材４３は、背面から入射させた装飾用発光素子５９からの光を出射させる装飾光出射領域８５を少なくとも一部分に有する。本実施の形態では、図４に記すように、十字状に形成される。この装飾光出射領域８５は、光拡散部であることが好ましい。透光装飾部材４３の背面から入射した装飾用発光素子５９からの光は、透光装飾部材４３の表面側の装飾光出射領域８５から拡散光となって多方向へ均一な照度で照射され、装飾光出射領域８５の視認性が高められる。これにより、装飾光出射領域８５を多方向から均一な照度で視認可能とし、四方へ拡散し輝く光源のように見られ、注目度を高めて、高い商品演出効果を得ることができるようになっている。なお、装飾光出射領域８５は、光拡散部の他、フレネルカット、シボ形状、凹凸面、三次曲面等であってもよく、また素材として、透明アクリル樹脂、着色透明アクリル樹脂などで構成し、透明アクリル樹脂の場合には、ＬＥＤ素子の白色光により白色の輝きを、着色透明アクリル樹脂の場合には、着色に応じた色、例えば商品イメージの色等の光の輝きを演出可能である。
【００４１】
図３に示す陳列棚２００では、少なくとも連結棚６５のそれぞれの商品陳列棚用照明装置１００が、入力用連結コネクタ６１と出力用連結コネクタ６３とを結合して同一電源回路Ｐ１，Ｐ２，Ｐ３の電源部Ｐで給電される。したがって、商品陳列棚用照明装置１００を備えた棚板１１同士を連設する際、一方の棚板１１に設けられた一端側の出力用連結コネクタ６３と、他方の棚板１１に設けられた他端側の入力用連結コネクタ６１が結合されることで、双方の棚板１１に設けられた光源ユニット４５への給電が簡単に行えるようになっている。これにより、新たな電源の供給を考慮せずに、商品陳列棚用照明装置１００を所望数、所望位置に自在に変更することができる。
【００４２】
上記の商品陳列棚用照明装置１００では、照明用発光素子５７と装飾光出射領域８５とがレール部材５５に固定され、照明光源と装飾光源とが一体に構成されて、装飾性を向上させるための装飾用照明や電源が不要となる。また、光源に発光素子が用いられることで、光源が小型となり、発熱、消費電力も低減され、蛍光管破裂等の危険性もなくなる。また、蛍光管を使用したものに比べ紫外線の出射量が低減される。
また、陳列棚２００では、商品陳列棚用照明装置１００を備えた一つの棚板１１が単一部材となり、任意の数で連結構成可能となる。つまり、モジュール化される。これにより、商品陳列棚用照明装置１００の設けられた棚板１１が、所望数、所望位置で連結したり、所望段数に組み付け可能となる。
【００４３】
したがって、上記の商品陳列棚用照明装置１００によれば、光源ユニット４５と、透光装飾部材４３とを備え、光源ユニット４５は、レール部材５５と、照明用発光素子５７と、装飾用発光素子５９と、入力用連結コネクタ６１及び出力用連結コネクタ６３と、を有し、透光装飾部材４３は、装飾光出射領域８５を有するので、照明光源と装飾光源とを一体に構成でき、装飾性を向上させるための装飾用照明や電源を別途必要とせず、省スペース化を実現しつつ、商品陳列効果、商品演出性を向上させることができ、さらに組み立て易さを向上できる。また、光源に発光素子が用いられるので、省スペース化、発熱の抑止、省電力化、安全性の向上、光源の長寿命化を実現しつつ、紫外線による商品の劣化防止を図ることができる。さらに、熱を出さない利点により、熱に弱い製品を扱う陳列棚、冷蔵ケースにも好適に使用することができる。
【００４４】
また、陳列棚２００によれば、商品陳列棚用照明装置１００を備えた棚板１１が、棚板１１の前面幅方向に複数連続する連結棚６５を構成し、この連結棚６５が多段状に取り付けられたので、商品陳列棚用照明装置１００を備えた一つの棚板１１を単一部材としてモジュール化でき、商品陳列棚用照明装置１００の設けられた棚板１１を、所望数、所望位置で連結したり、所望段数に組み付けて、商品の陳列性（ディスプレイ）、装飾性の自由度を向上させることができる。
【００４５】
なお、本発明に係る商品陳列棚用照明装置及び陳列棚は、上記の実施の形態による構成に限定されるものではなく、例えば棚板の幅長は、任意の尺長であってよい。また、照明光源、装飾光源の数も任意の数とすることができる。また、照明用光源と装飾用光源とは、上下逆配置してもよい。さらに、棚板は、傾斜構造（角度可変構造）を備えるものであってもよい。
【図面の簡単な説明】
【００４６】
【図１】本発明に係る商品陳列棚用照明装置の設けられた棚板の要部拡大側面図である。
【図２】図１に示した棚板を多段状に組み付けた陳列棚の斜視図である。
【図３】図２に示した陳列棚の分解斜視図である。
【図４】図１に示した一つの棚板の分解斜視図である。
【図５】棚板の側面図である。
【図６】図５に示した光源ユニットの斜視図である。
【図７】図６に示した入力用連結コネクタと出力用連結コネクタの斜視図である。
【図８】図６に示した光源ユニットの分解斜視図である。
【図９】図６に示した光源ユニットの正面視を（ａ）、平面視を（ｂ）、側面視を（ｃ）に表した説明図である。
【図１０】発光素子、カバー部材とともに表したレール部材の断面図である。
【符号の説明】
【００４７】
１１…棚板
１３…下面前部
４３…透光装飾部材
４５…光源ユニット
５１…前端部
５３…上面
５５…レール部材
５７…照明用発光素子
５９…装飾用発光素子
６１…入力用連結コネクタ
６３…出力用連結コネクタ
６５…連結棚
６７，６９…回路基板（基板）
７５…上部水平板
７７…下部水平板
７８…垂直板
７９…冷却フィン
８１…間隙
８３…係止爪
８５…装飾光出射領域
１００…商品陳列棚用照明装置
２００…陳列棚
Ｐ１，Ｐ２，Ｐ３…同一電源回路
【図１】
0004990116.tif 000002
【図２】
0004990116.tif 000003
【図３】
0004990116.tif 000004
【図４】
0004990116.tif 000005
【図５】
0004990116.tif 000006
【図６】
0004990116.tif 000007
【図７】
0004990116.tif 000008
【図８】
0004990116.tif 000009
【図９】
0004990116.tif 000010
【図１０】
0004990116.tif 000011